(57)【要約】【課題】釣り針に獲物が掛かったことをより確実に検出して、それを使用者に通知すること。【解決手段】発光手段２０４と、他の通信端末装置に情報を送信する無線制御部２０１と、３次元方向の加速度を検出する３軸加速度センサ２０５と、３軸加速度センサ２０５が検出した加速度から、自装置１０４の設置環境に起因する加速度を分離し、分離後の加速度が所定値以上であるか否かを判定する情報処理部２０３と、分離後の加速度が所定値以上であると情報処理部２０３が判定した場合に、発光手段２０４を稼働すると共に、無線制御部２０１を介して他の通信端末装置に所定の情報を通知するシステム制御部２０２とを備える。【選択図】図２
2013179901.tif 000002
【特許請求の範囲】
【請求項１】
発光手段と、
他の通信端末装置に情報を送信する無線制御部と、
３次元方向の加速度を検出する３軸加速度センサと、
前記３軸加速度センサが検出した加速度から、自装置の設置環境に起因する加速度を分離し、分離後の加速度が所定値以上であるか否かを判定する情報処理部と、
分離後の加速度が所定値以上であると前記情報処理部が判定した場合に、前記発光手段を稼働すると共に、前記無線制御部を介して他の通信端末装置に所定の情報を通知するシステム制御部と
を備える通信端末装置。
【請求項２】
振動発生手段を更に備え、
前記システム制御手段は、前記発光手段の稼働時に、前記振動発生手段を稼働させる
請求項１に記載の通信端末装置。
【請求項３】
前記情報処理手段は、自装置の設置環境に起因する加速度として、重力加速度と、波風に起因する振動成分の加速度とを分離する
請求項１又は２に記載の通信端末装置。
【請求項４】
前記情報処理装置は、３次元方向の加速度を高速フーリエ変換した結果の周波数分布を分析することによって、前記振動成分の加速度を分離する
請求項３に記載の通信端末装置。
【請求項５】
請求項１から４のいずれか一項に記載の通信端末装置を、釣り具の釣り糸に係留して成る釣り具。
【請求項６】
請求項１から４のいずれか一項に記載の通信端末装置を、釣り具の魚籠に係留して成る釣り具。
【請求項７】
発光手段と、他の通信端末装置に情報を送信する無線制御部と、３次元方向の加速度を検出する３軸加速度センサとを備える通信端末装置が、他の通信端末装置に情報を通知する通知方法であって、
前記３軸加速度センサが検出した加速度から、自装置の設置環境に起因する加速度を分離し、分離後の加速度が所定値以上であるか否かを判定する段階と、
分離後の加速度が所定値以上であると判定された場合に、前記発光手段を稼働すると共に、前記無線制御部を介して他の通信端末装置に所定の情報を通知する段階と
を備える通知方法。
【発明の詳細な説明】
【技術分野】
【０００１】
本発明は、通信端末装置、釣り具、及び通知方法に関する。
【背景技術】
【０００２】
釣りに関する技術の中には、釣り針に獲物が掛かったことを検出して、それを報知するものがある（例えば、特許文献１〜３参照）。
【０００３】
特許文献１には、釣り針に獲物が掛かったことを検出すると、発光ダイオードの発光状況を変化させて報知する釣り具が記載されている。より具体的に説明すると、特許文献１に記載の釣り具は、一又は複数の発光ダイオード、運動センサ、制御回路、及び電池を備える。そして、この釣り具の制御回路は、釣り針に獲物が掛かったことを検出すると、発光ダイオードの発光強度、発光間隔、発光順序、発光個数等を変化させて、報知する。
【０００４】
特許文献２には、待ち釣りにおける不便さの解消を図った釣り支援方法が記載されている。より具体的に説明すると、特許文献２に記載の釣り支援方法は、釣り糸が引かれると、それを発振器が検出して、所定の携帯電話機を呼び出す。この釣り支援方法によれば、携帯電話機を所持する釣り人は、魚の当たりを速やかに知ることができる。
【０００５】
特許文献３には、浮きの加速度を検知すると、それを遠隔位置にいるユーザに報知する魚釣り用浮きが記載されている。より具体的に説明すると、特許文献３に記載の魚釣り用浮きは、加速度センサ、制御部、ＦＭ（Ｆｒｅｑｕｅｎｃｙ  Ｍｏｄｕｌａｔｉｏｎ）トランスミッタ部、及び電池を備える。そして、浮きが動くと、加速度センサは、浮きの加速度を検知する。そして、制御部は、加速度センサによる加速度の検知信号を、音声信号に変換する。そして、ＦＭトランスミッタ部は、音声信号をＦＭ搬送波に重畳して無線送信する。
【先行技術文献】
【特許文献】
【０００６】
【特許文献１】特開２００２−１７１８８３号公報
【特許文献２】特開２００３−２５０４１３号公報
【特許文献３】特開２００９−１１８８０９号公報
【発明の概要】
【発明が解決しようとする課題】
【０００７】
しかしながら、特許文献１〜３に記載の技術によっては、釣り糸にかかる風圧や、波による水面の上下振動等に起因する浮き等の動きを、魚信として誤検出してしまう虞がある。
【０００８】
本発明は、上述した課題を解決する通信端末装置、及び通知方法を提供することにある。
【課題を解決するための手段】
【０００９】
上記課題を解決するために、本発明に係る通信端末装置は、発光手段と、他の通信端末装置に情報を送信する無線制御部と、３次元方向の加速度を検出する３軸加速度センサと、３軸加速度センサが検出した加速度から、自装置の設置環境に起因する加速度を分離し、分離後の加速度が所定値以上であるか否かを判定する情報処理部と、分離後の加速度が所定値以上であると情報処理部が判定した場合に、発光手段を稼働すると共に、無線制御部を介して他の通信端末装置に所定の情報を通知するシステム制御部とを備える。
【００１０】
上記課題を解決するために、本発明に係る通知方法は、発光手段と、他の通信端末装置に情報を送信する無線制御部と、３次元方向の加速度を検出する３軸加速度センサとを備える通信端末装置が、他の通信端末装置に情報を通知する通知方法であって、３軸加速度センサが検出した加速度から、自装置の設置環境に起因する加速度を分離し、分離後の加速度が所定値以上であるか否かを判定する段階と、分離後の加速度が所定値以上であると判定された場合に、発光手段を稼働すると共に、無線制御部を介して他の通信端末装置に所定の情報を通知する段階とを備える。
【発明の効果】
【００１１】
以上説明したように、本発明の通信端末装置によれば、既知の技術と比較して、釣り針に獲物が掛かったことをより確実に検出して、それを使用者に通知することができる。
【図面の簡単な説明】
【００１２】
【図１】一実施形態に係る釣り具の一例を示す図である。
【図２】通信端末装置１０４の機能ブロックの一例を示す図である。
【図３】通信端末装置１０４の動作フローの一例を示す図である。
【発明を実施するための形態】
【００１３】
図１は、一実施形態に係る釣り具の一例を示す。本実施形態に係る釣り具は、釣り竿１０１、釣り糸１０２、通信端末装置１０４、及びフィッシングの仕掛け１０７を備える。釣り竿１０１は、一般的に、竿、リール等によって構成されるが、リールを用いない構成としてもよい。釣り糸１０２は、テグスやワイヤー等の耐水性と強度を有する素材により形成される。通信端末装置１０４は、釣り糸１０２の途中部分に係留されている。
【００１４】
通信端末装置１０４は、防水性を備えたケースで覆われている。そして、ケース内部には、空気等の気体が封入されている。このようにして、通信端末装置１０４は、海水や淡水に対して、十分な浮力を有するものとなり、本実施形態に係る釣り具の浮きとして機能する。但し、通信端末装置１０４は、必ずしも釣り具の浮きとして機能する必要はない。通信端末装置１０４が浮きとして機能しない場合、釣り糸１０２には、通常の浮きが係留される。
【００１５】
また、通信端末装置１０４の下端には、フィッシングの仕掛け１０７が係留されている。仕掛け１０７は、釣り針１０５、オモリ１０６等によって構成される。但し、仕掛け１０７は、これに限られず、フィッシング対象や釣場の状況等に応じて、種々の構成のものが用いられる。
【００１６】
図２は、通信端末装置１０４の機能ブロックの一例を示す。通信端末装置１０４は、無線制御部２０１、システム制御部２０２、情報処理部２０３、発光ダイオード２０４、３軸加速度センサ２０５、振動発生器２０６、及びアンテナ２０７を備える。なお、発光ダイオード２０４は、この発明における「発光手段」の一例であるが、電球や蛍光管、ＥＬ素子等を代用することもできる。
【００１７】
無線制御部２０１は、他の端末装置や携帯電話機等の外部装置と無線通信するモジュールであり、アンテナ２０７に接続されている。システム制御部２０２は、通信端末装置１０４全体の制御を担う。情報処理部２０３は、３軸加速度センサ２０５から得られたデータや、外部装置から受信したデータの処理を行う。
【００１８】
発光ダイオード２０４は、水上の使用者から認識し易いように、通信端末装置１０４の上部に設けられる。ここで、発光ダイオード２０４は、他の発光体との識別性を高めるために、発光色や、点灯パターン、点滅時間等の組み合わせを設定によって変えることができるようにすることが好ましい。
【００１９】
３軸加速度センサ２０５は、一般的な通信端末装置にも広く用いられている３次元方向の加速度検出が可能なデバイスである。例えば、３軸加速度センサ２０５としては、ＭＥＭＳ（Ｍｉｃｒｏ  Ｅｌｅｃｔｒｏ  Ｍｅｃｈａｎｉｃａｌ  Ｓｙｓｔｅｍｓ）による半導体式のものを採用することができる。
【００２０】
振動発生器２０６は、内蔵するモータの回転軸に対して重心をずらした重りを回転させることで振動させる等の方法により、振動を生じさせるデバイスである。上記アンテナ２０７を除く上記の各モジュールは、防水ケース２０８内に密閉されており、該ケース内には、通信端末装置１０４に十分な浮力を付与できるよう、空気若しくは不活性ガス等の気体が封入される。防水ケース２０８は、エラストマー、ＡＢＳ、及びポリスチレン等の樹脂を素材として容易に形成可能である。
【００２１】
図３は、通信端末装置１０４の動作フローの一例を示す。図１に示すように通信端末装置１０４が釣り具の浮きとして使用されている場合、通信端末装置１０４は、波風の影響を受けて、水面１０３を漂い動く。このとき、３軸加速度センサ２０５は、３次元方向の加速度を検出し（Ｓ１）、検出した加速度を示すデータを、情報処理部２０３へ送る。
【００２２】
情報処理部２０３は、３軸加速度センサ２０５から送られたデータを受け取ると、検出された加速度から、重力加速度と、波風に起因する振動成分の加速度とを分離して除去する（Ｓ２）。ここで、水面の波や、釣り糸に吹く風は、長周期且つ変化量の緩やかな周期性を有する。このような特性を踏まえて、情報処理部２０３は、例えば、３次元方向の加速度を高速フーリエ変換等して、周波数分布を分析することにより、振動成分による加速度を分離する。
【００２３】
情報処理部２０３は、重力加速度と、振動成分の加速度とを分離して除去した後に残る加速度が所定値以上になった場合に、釣り針に獲物が掛かったと判定する（Ｓ３）。通信端末装置１０４は、獲物が掛かったと情報処理部２０３が判定するまで、ステップＳ１〜Ｓ３の一連の処理を繰り返す。
【００２４】
獲物が掛かったと情報処理部２０３が判定すると（Ｓ３：ＹＥＳ）、システム制御部２０２は、発光ダイオード２０４を点灯させて、獲物が掛かったことを使用者へ通知する（Ｓ４）。このとき、システム制御部２０２は、振動発生器２０６を同時に稼働させてもよい。
【００２５】
そして、システム制御部２０２は、無線制御部２０１を介して使用者が別途備えている携帯電話機等の通信機器へ情報送信を行う（Ｓ５）。このようにして、通信端末装置１０４を備えた釣り具によっては、獲物が掛かったことを使用者に確実に通知することができる。
【００２６】
以上説明したように、通信端末装置１０４は、水面において検出された３次元方向の加速度から、重力加速度や、波風に起因する振動成分の加速度を分離している。そのため、通信端末装置１０４を用いた釣り具によっては、釣り糸にかかる風圧や、波による水面の上下振動により釣り糸にかかる力等の影響を受けることなく、魚信を検出することができる。
【００２７】
また、釣り具の通信端末装置１０４が発光手段を備える場合には、通信端末装置１０４の発光ダイオード２０４の発光状況を目視するだけで、夜間でも魚が釣り針に掛かったことを確実に知ることができる。
【００２８】
また、釣り具の通信端末装置１０４が振動手段を更に備える場合には、発光ダイオード２０４を発光させると共に、振動発生器２０６を同時に稼働させることにより、集魚効果を期待することができる。
【００２９】
なお、夜間に釣りを行う場合、システム制御部２０２は、発光ダイオード２０４を、常時点灯、又は所定の発光パターンで常時点滅させてもよい。このようにして、使用者は、暗闇の中にあっても、浮きの位置や動きを確認することができる。このような実施形態の場合には、釣り針に獲物が掛かったと情報処理部２０３が判定した場合、システム制御部２０２は、例えば、発光ダイオード２０４の点灯色を変更する等、発光ダイオード２０４の発光パターンを、通常とは異なる発光パターン（発光周期を含む）に変更する。
【００３０】
前述の他の実施形態によれば、通信端末装置１０４に搭載した発光ダイオード２０４の発光状況を目視するだけで、夜間でも魚が釣り針に掛かったことを確実に知ることができるという効果が得られる。また、高輝度の発光ダイオード２０４を用いるか、若しくは複数の発光ダイオード２０４を束ねて同時に点灯させる等の構成とすることにより、発光ダイオード２０４の輝度を強力に高めることができる。その場合、魚が光に向かって集まる習性を利用した、夜間における集魚灯としての効果（集魚効果）にも一層期待することができる。更に、通信端末装置１０４に搭載した振動発生器２０６を常時稼働させることで、鰤や鰹等、振動音を好む魚に対する集魚効果を高めることができる効果も有する。
【００３１】
なお、通信端末装置１０４を備えた釣り具は、上述した構成のものに限られない。他の構成の釣り具としては、例えば、水中の魚籠に通信端末装置１０４を取り付けたものとすることができる。この場合、通信端末装置１０４は、魚の盗難や、逃げ出し等を検知するようにしてもよい。
【００３２】
また、通信端末装置１０４は、例えば、携帯電話機、スマートフォン、ゲーム機等の携帯情報端末を用いることができる。
【００３３】
上記の実施形態の一部、又は全部は、以下の付記のようにも記載され得るが、以下には限定されない。
【００３４】
（付記１）発光手段と、他の通信端末装置に情報を送信する無線制御部と、３次元方向の加速度を検出する３軸加速度センサと、前記３軸加速度センサが検出した加速度から、自装置の設置環境に起因する加速度を分離し、分離後の加速度が所定値以上であるか否かを判定する情報処理部と、分離後の加速度が所定値以上であると前記情報処理部が判定した場合に、前記発光手段を稼働すると共に、前記無線制御部を介して他の通信端末装置に所定の情報を通知するシステム制御部とを備える通信端末装置。
【００３５】
（付記２）振動発生手段を更に備え、前記システム制御手段は、前記発光手段の稼働時に、前記振動発生手段を稼働させる付記１に記載の通信端末装置。
【００３６】
（付記３）前記情報処理手段は、自装置の設置環境に起因する加速度として、重力加速度と、波風に起因する振動成分の加速度とを分離する付記１又は２に記載の通信端末装置。
【００３７】
（付記４）前記情報処理装置は、３次元方向の加速度を高速フーリエ変換した結果の周波数分布を分析することによって、前記振動成分の加速度を分離する付記３に記載の通信端末装置。
【００３８】
（付記５）付記１から４のいずれか一項に記載の通信端末装置を、釣り具の釣り糸に係留して成る釣り具。
【００３９】
（付記６）付記１から４のいずれか一項に記載の通信端末装置を、釣り具の魚籠に係留して成る釣り具。
【００４０】
（付記７）発光手段と、他の通信端末装置に情報を送信する無線制御部と、３次元方向の加速度を検出する３軸加速度センサとを備える通信端末装置が、他の通信端末装置に情報を通知する通知方法であって、前記３軸加速度センサが検出した加速度から、自装置の設置環境に起因する加速度を分離し、分離後の加速度が所定値以上であるか否かを判定する段階と、分離後の加速度が所定値以上であると判定された場合に、前記発光手段を稼働すると共に、前記無線制御部を介して他の通信端末装置に所定の情報を通知する段階とを備える通知方法。
【符号の説明】
【００４１】
１０１  釣り竿
１０２  釣り糸
１０４  通信端末装置
１０７  フィッシングの仕掛け
１０６  オモリ
２０１  無線制御部
２０２  システム制御部
２０３  情報処理部
２０４  発光ダイオード
２０５  ３軸加速度センサ
２０６  振動発生器
２０７  アンテナ
２０８  防水ケース
【図１】
2013179901.tif 000003
【図２】
2013179901.tif 000004
【図３】
2013179901.tif 000005